(57)【特許請求の範囲】
【請求項１】
上下方向に所定の間隔を置いて設置された頭部および底部スプロケットホイールと、
前記頭部および底部スプロケットホイール間に無端状に捲回されたチェーンと、
前記チェーンに係止された複数のバケットとを備え、
前記スプロケットホイールのいずれか一方を回転駆動することにより、前記チェーンを介して前記バケットを上下方向に循環走行させ、
前記底部スプロケットホイールの近傍に設けられた搬入シュート部で、前記バケットが掬い上げた土砂を、前記頭部スプロケットホイール側に設けられた搬出シュート部に排出するバケット式垂直コンベアにおいて、
前記バケットから落下する土砂を受承し、前記頭部スプロケットホイールの回転に伴って回転して、受承した土砂を前記搬出シュート部に排出する集土板を、前記頭部スプロケットホイールに設け、
前記集土板は、平板状のプレートと、前記プレートに貼着された可撓性シートとを備え、
前記可撓性シートは、土砂を排出し終えた前記バケットの背面側を覆う延設部を有することを特徴とするバケット式垂直コンベア。
【請求項２】
前記バケットは、椀状に形成された本体と、この本体内に取付けられた土砂の付着防止用ゴムシートと、前記ゴムシートと前記本体とが当接する部分に設けられた貫通孔とを有し、
前記延設部は、前記貫通孔を背面側から覆うことを特徴とする請求項１記載のバケット式垂直コンベア。
【請求項３】
前記集土板は、前記頭部スプロケットホイールに常時接触する前記バケット数に対応させて複数設けたことを特徴とする請求項１または２記載のバケット式垂直コンベア。
【発明の詳細な説明】
【０００１】
【発明の属する技術分野】
この発明は、バケット式垂直コンベアに関し、特に、この種のコンベアの土砂搬送効率を改善する技術に関するものである。
【０００２】
【従来の技術】
地下空洞や地下トンネルの構築現場で発生した掘削土砂を外部に搬出する際に用いる装置として、土砂を上下方向に搬送するバケット式垂直コンベアが知られている。
【０００３】
この種のバケット式垂直コンベアは、図６にその代表的な構造例を示すように、上下方向に所定の間隔を置いて設置された頭部および底部スプロケットホイール１,２と、頭部および底部スプロケットホイール１,２間に、無端状に捲回されたチェーン３と、チェーン３に係止された複数のバケット４とを備えている。
【０００４】
バケット４は、一端が開口した椀形に形成されていて、チェーン３に対して、所定の間隔を隔てて、各開口側がチェーンの走行方向に対して、同じ方向を向くように係止されている。
【０００５】
そして、垂直コンベア全体がケーシング５内に収納されていて、底部スプロケットホイール２の下端側の外周を覆うようにして土砂の搬入シュート部６が設けられるとともに、頭部スプロケットホイール１の外側面側に土砂の搬出シュート部７が設けられている。
【０００６】
なお、図６に符号８,９で示した部材は、頭部および底部スプロケットホイール１,２間に捲回されたチェーン３を相互に近接する方向に移動させるためのアイドラーホイールである。
【０００７】
このように構成されたバケット式垂直コンベアでは、頭部スプロケットホイール１を図示省略の駆動モータにより回転駆動することにより、チェーン３を介してバケット４を、図６の矢印方向に循環走行させ、搬入シュート部６でバケット４が掬い上げた土砂Sを搬出シュート部7に排出させる。
【０００８】
しかしながら、このような構造の従来のバケット式垂直コンベアには、以下に説明する技術的な課題があった。
【０００９】
【発明が解決しようとする課題】
すなわち、図６に示したバケット式垂直コンベアでは、バケット４が掬い上げた土砂Ｓは、図７に示すように、頭部スプロケットホイール１の周りをバケット４が周回する過程で、排出シュート部７側に排出される。
【００１０】
ところが、バケット４内に収納されている土砂Ｓは、図７の頂点部分に示したように、バケット４が所定の角度以上傾き始めると、内部からこぼれ落ち始めて、こぼれ落ちた土砂Ｓは、排出シュート部７側に排出されず、ケーシング５内を落下する。
【００１１】
このような土砂Ｓのこぼれ落ちが発生すると、ケーシング５内を落下する際に、騒音が発生するとともに、土砂Ｓの搬送効率が大きく低下するという問題があった。
【００１２】
本発明は、このような問題点に鑑みてなされたものであって、その目的とするところは、搬送土砂のこぼれ落ちに伴う下方落下を防止することにより、騒音の発生を低下しつつ搬送効率を向上させることができるバケット式垂直コンベアを提供することにある。
【００１３】
【課題を解決するための手段】
上記目的を達成するために、本発明は、上下方向に所定の間隔を置いて設置された頭部および底部スプロケットホイールと、前記頭部および底部スプロケットホイール間に無端状に捲回されたチェーンと、前記チェーンに係止された複数のバケットとを備え、前記スプロケットホイールのいずれか一方を回転駆動することにより、前記チェーンを介して前記バケットを上下方向に循環走行させ、前記底部スプロケットホイールの近傍に設けられた搬入シュート部で、前記バケットが掬い上げた土砂を、前記頭部スプロケットホイール側に設けられた搬出シュート部に排出するバケット式垂直コンベアにおいて、前記バケットから落下する土砂を受承し、前記頭部スプロケットホイールの回転に伴って回転して、受承した土砂を前記搬出シュート部に排出する集土板を、前記頭部スプロケットホイールに設け、前記集土板は、平板状のプレートと、前記プレートに貼着された可撓性シートとを備え、前記可撓性シートは、土砂を排出し終えた前記バケットの背面側を覆う延設部を有するようにした。
このように構成したバケット式垂直コンベアにおいては、バケットから落下する土砂を受承し、頭部スプロケットホイールの回転に伴って回転して、受承した土砂を搬出シュート部に排出する集土板を頭部スプロケットホイールに設けたので、バケットからこぼれ落ちた土砂を落下させることなく、排出シュート部に排出することができ、土砂の搬送効率を大幅に向上させる。
前記バケットは、椀状に形成された本体と、この本体内に取付けられた土砂の付着防止用ゴムシートと、前記ゴムシートと前記本体とが当接する部分に設けられた貫通孔とを有し、前記延設部は、前記貫通孔を背面側から覆うように設けることができる。
この構成によれば、貫通孔から土砂がバケット本体内に侵入して、ゴムシートと本体内面との間に介在することが防止される。
前記集土板は、前記頭部スプロケットホイールに常時接触する前記バケット数に対応させて複数設けることができる。
この構成によれば、順次周回する複数のバケットからこぼれ落ちる土砂を集土板に受承することができる。
【００１４】
【発明の実施の形態】
以下、本発明の好適な実施の形態について、添付図面に基づいて詳細に説明する。図１から図３は、本発明にかかるバケット式垂直コンベアの第１実施例を示している。
【００１５】
図１および図２は、本発明の垂直コンベアの要部であって、その基本的な構成は、従来のこの種のコンベアと同様に、図７に示すように、上下方向に所定の間隔を置いて設置された頭部および底部スプロケットホイール１,２と、頭部および底部スプロケットホイール１,２間に、無端状に捲回されたチェーン３と、チェーン３に係止された複数のバケット４とを備えている。
【００１６】
バケット４は、一端が開口した椀状に形成されていて、チェーン３に対して、所定の間隔を隔てて、各開口側がチェーンの走行方向に対して、同じ方向をむくように係止されている。
【００１７】
そして、垂直コンベア全体がケーシング５内に収納されていて、底部スプロケットホイール２の下端側の外周を覆うようにして土砂の搬入シュート部６が設けられるとともに、頭部スプロケットホイール１の外側面側に土砂の搬出シュート部７が設けられている。
【００１８】
頭部および底部スプロケットホイール１,２の近傍には、これらの間に捲回されたチェーン３を相互に近接する方向に移動させるためのアイドラーホイール８,９が設けられている。
【００１９】
以上のようなバケット式垂直コンベアとしての基本的な構成は、従来のコンべアと同じであるが、本実施例の垂直コンベアは、以下に示す点に顕著な特徴がある。
【００２０】
すなわち、本実施例のバケット式垂直コンベアには、特に、頭部スプロケットホイール１に複数の集土板１０が配置されている。本実施例の集土板１０は、頭部スプロケットホイール1に常時接触するバケット4の数が3なのでこれに対応するように、実質的に同一構成のものが3個用いられている。
【００２１】
３個の集土板１０は、平板状のプレート１０ａと、このプレート１０ａの内面に貼着された可撓性シート１０ｂとをそれぞれ備えており、可撓性シート１０ｂの一端は、プレート１０ａの端部から外方に突出した延設部１０ｃとなっている。
【００２２】
また、３個の集土板１０は、頭部スプロケットホイール１の回転軸部１ａの外周に近接して、これを取り巻くようにして固設され、一端側が周方向に隣接する他の集土板１０の下面に当接するように配置されている。
【００２３】
また、各集土板１０は、チェーン３に係止されたバケット４の係止線Ｌ１に対して、プレート１０ａの平坦部の延長線Ｌ２が所定の角度となるように、傾斜した状態で設けられている。
【００２４】
延設部１０ｃの先端側は、図１に示すように、頭部スプロケットホイール１の回転に伴って回転することで、回転方向の前段側に位置していて、既に土砂Ｓを排出し終えたバケット４の本体４ａの背面側に接触するようになっている。
【００２５】
一方、本実施例の垂直コンベアに用いるのバケット４の詳細を図３,４に示している。同図に示したバケット４は、椀状に形成されたバケット本体４ａと、個のバケット本体４ａ内に取付けられた土砂Ｓの付着防止用ゴムシート４ｂとを備えている。
【００２６】
バケット本体４ａは、半円筒状に屈曲形成された底板４００ａと、この底板４００ａの両端面に固設された半円盤状の一対の側板４０１ａとを有していて、底板４００ａの中央には、長円形状の貫通孔４ｃが貫通形成されている。
【００２７】
また、一対の側板４０１ａの外側面には、バケット４をチェーン３に係止するための取付け金具４０２ａが固設されている。一方、ゴムシート４ｂは、一端が底板４００ａの一方の端部に固定され、他端が底板４００ａの他方の端部を迂回して、その背面側で固定されている。
【００２８】
このように固定されたゴムシート４ｂは、バケット４から土砂Ｓが排出されて、開口が下方を向くようになると、図４に仮想線で示すように、底板４００ａから離間して、ゴムシート４ｂに付着した土砂Ｓが払い落とされるようになっている。
【００２９】
底板４００ａの中央に設けられた貫通孔４ｃは、ゴムシート４ｂと底板４００ａとの間の付着を防止し、このようなゴムシート4ｂの挙動を容易にするために設けられている。
【００３０】
以上のように構成したバケット式垂直コンベアでは、例えば、頭部スプロケットホイール１(底部スブロケットホイール２)を図示省略の駆動モータにより回転駆動することにより、チェーン３を介してバケット４を、図６の矢印方向に循環走行させ、搬入シュート部６でバケット４が掬い上げた土砂Sを搬出シュート部7に排出させる。
【００３１】
このとき、搬入シュート部６で土砂Sをバケット４が掬い上げると、土砂Sの性質によっても異なるが、通常、バケット本体4ａの上端よりも若干土砂Ｓが盛りあがった状態となる。
【００３２】
このような状態で土砂Ｓを収容したバケット４が頭部スプロケットホイール１に到達し、バケット４が所定の角度以上傾き始めると、内部から土砂Sがこぼれ落ち始める。
【００３３】
ところが、本実施例の場合には、図１に示すように、バケット４からこぼれ落ちる土砂Ｓを受承する集土板１０が設けられているので、こぼれ落ちた土砂Ｓは、集土板１０の上部に堆積し、下方への落下が阻止される。
【００３４】
そして、集土板１０は、頭部スプロケットホイール１の回転に伴って、同じ方向に回転するので、集土板１０上に堆積した土砂Ｓは、図２に示すように、集土板１０が所定角度以上傾斜すると、集土板１０上を滑り落ちて、排出シュート部７に排出する。
【００３５】
このとき、集土板１０上を滑り落ちた土砂Ｓは、回転方向の前段側に位置している既に土砂Ｓを排出し終えたバケット４の本体４ａの背面側に近接するようにして、排出シュート部７に落下するが、このバケット４の背面側は、可撓性シート１０ｂの延設部１０ｃで覆われている。
【００３６】
従って、バケット本体４ａの背面に貫通孔４ｃが設けられていても、この貫通孔４ｃを介して、土砂Ｓがバケット本体4ａ内に侵入して、ゴムシート４ｂと本体４ａ内面との間に介在することが防止され、前述したゴムシート４ｂの機能を確保することができる。
【００３７】
以上のような集土板１０の土砂Ｓの落下防止機能は、チェーン３の循環走行に伴って、順次頭部スプロケットホイール１に到達するバケット４についてすべて発揮される。
【００３８】
さて、以上のように構成されたバケット式垂直コンベアによれば、バケット４から落下する土砂Ｓを受承し、頭部スプロケットホイール１の回転に伴って回転して、受承した土砂Ｓを搬出シュート部７に排出する集土板１０を頭部スプロケットホイール１に設けたので、バケット４からこぼれ落ちた土砂Ｓを落下させることなく、排出シュート部７に排出することができ、土砂Ｓの搬送効率を大幅に向上させることができるとともに、土砂Ｓの落下がなくなるので、騒音の発生も大幅に低減することができる。
【００３９】
図５および図６は、本発明にかかるバケット式垂直コンベアの第２実施例を示しており、上記第１実施例と同一若しくは相当する部分には、同一符号を付してその説明を省略するとともに、以下のその特徴点についてのみ説明する。
【００４０】
これらの図に示した実施例では、頭部スプロケットホイール１に常時接触するバケット4の数が２なのでこれに対応するように、前記第１実施例と実質的に同一構成の集土板１０が２個用いられている。
【００４１】
２個の集土板１０は、平板状のプレート１０ａと、このプレート１０ａの内面に貼着された可撓性シート１０ｂとをそれぞれ備えており、可撓性シート１０ｂの一端は、プレート１０ａの端部から外方に突出した延設部１０ｃとなっている。
【００４２】
また、２個の集土板１０は、頭部スプロケットホイール１の回転軸部１ａの外周に接触して、これを挟むようにして、ほぼ平行に固設され配置されている。  また、各集土板１０は、チェーン３に係止されたバケット４の係止線L１に対して、プレート１０ａの平坦部の延長線L２が所定の角度？'となるように、傾斜した状態で設けられている。
このように構成したバケット式垂直コンベアにおいても上記実施例と同等の作用効果が得られる。
【００４３】
【発明の効果】
以上、実施例で詳細に説明したように、本発明にかかるバケット式垂直コンベアによれば、搬送土砂の下方落下を防止することにより、騒音の発生を低下しつつ搬送効率を向上させることができる。
【図面の簡単な説明】
【図１】本発明にかかるバケット式垂直コンベアの第１実施例を示す要部拡大図である。
【図２】図１からチェーンが所定量移動した状態の要部拡大図である。
【図３】図１に示したコンベアのバケットの平面図である。
【図４】図３に示したのバケットの側面図である。
【図５】本発明にかかるバケット式垂直コンベアの第２実施例を示す要部拡大図である。
【図６】バケット式垂直コンベアの一例を示す全体構成図である。
【図７】従来のバケット式垂直コンベアの不具合を示す説明図である。
【符号の説明】
１                  頭部スプロケットホイール
２                  底部スプロケットホイール
３                  チェーン
４                  バケット
５                  ケーシング
６                  搬入シュート部
７                  搬出シュート部
１０                集土板
【図１】
0003539279.tif 000002
【図２】
0003539279.tif 000003
【図３】
0003539279.tif 000004
【図４】
0003539279.tif 000005
【図５】
0003539279.tif 000006
【図６】
0003539279.tif 000007
【図７】
0003539279.tif 000008